(57)【要約】【課題】参照画像を参照して簡便に本撮影する。【解決手段】撮像装置を制御する制御装置であって、参照画像、および、参照画像に対応付けて、参照画像が撮像されたときの撮影条件を取得する画像取得部と、参照画像を表示する画像表示部と、外部から参照画像の選択を受け付けた場合に、参照画像に対応付けられた撮影条件を撮像装置に出力する条件出力部と、条件出力部により出力された撮影条件を用いて撮像装置が本画像を撮像した場合に、本画像が条件出力部により出力された撮影条件に対応付けられている参照画像を参照したことを示す参照関係を記憶する関係記憶部とを備える。【選択図】図１３
2012235393.tif 000002
【特許請求の範囲】
【請求項１】
撮像装置を制御する制御装置であって、
参照画像、および、前記参照画像に対応付けて、前記参照画像が撮像されたときの撮影条件を取得する画像取得部と、
前記参照画像を表示する画像表示部と、
外部から前記参照画像の選択を受け付けた場合に、前記参照画像に対応付けられた前記撮影条件を前記撮像装置に出力する条件出力部と、
前記条件出力部により出力された前記撮影条件を用いて前記撮像装置が本画像を撮像した場合に、前記本画像が前記条件出力部により出力された前記撮影条件に対応付けられている前記参照画像を参照したことを示す参照関係を記憶する関係記憶部と
を備える制御装置。
【請求項２】
前記関係記憶部は、前記参照関係として、前記本画像および前記参照画像に直接的または間接的に対応付けられた他の本画像および他の参照画像の参照関係を含む参照関係群を記憶する請求項１に記載の制御装置。
【請求項３】
前記画像表示部は、前記外部から前記参照画像の選択を受け付けた場合に、前記参照画像と参照関係にある他の参照画像を改めて表示する請求項２に記載の制御装置。
【請求項４】
前記画像表示部は、前記本画像、および、前記本画像と参照関係にある前記参照画像とを一画面に表示する請求項１から３のいずれかに記載の制御装置。
【請求項５】
前記画像表示部は、前記本画像、および、前記条件出力部により出力された前記撮影条件を一画面に表示する請求項１から４のいずれか１項に記載の制御装置。
【請求項６】
前記関係記憶部は、前記参照関係として前記参照画像および前記本画像を特定する情報を、前記参照画像および前記本画像とは別個のファイルとして記憶する請求項１から５のいずれか１項に記載の制御装置。
【請求項７】
前記関係記憶部は、前記参照関係としてさらに前記参照画像のサムネイル画像を前記ファイルに記憶する請求項６に記載の制御装置。
【請求項８】
前記関係記憶部は、前記参照関係として、前記本画像および前記参照画像に直接的または間接的に対応付けられた他の本画像および他の参照画像の参照関係を含む参照関係群を前記ファイルに記憶する請求項６または７に記載の制御装置。
【請求項９】
前記関係記憶部は、前記参照関係として前記参照画像を特定する情報を前記本画像の付加情報として添付する請求項１から５のいずれか１項に記載の制御装置。
【請求項１０】
前記関係記憶部は、前記参照関係としてさらに前記参照画像のサムネイル画像を前記本画像の付加情報として添付する請求項９に記載の制御装置。
【請求項１１】
前記関係記憶部は、前記参照関係として、前記本画像および前記参照画像に直接的または間接的に対応付けられた他の本画像および他の参照画像の参照関係を含む参照関係群を前記本画像の付加情報として添付する請求項９または１０に記載の制御装置。
【請求項１２】
前記画像取得部は複数の前記参照画像を取得し、
前記画像取得部により取得された前記複数の参照画像を分類する画像分類部をさらに備え、
前記画像表示部は、前記画像分類部の分類に基づいて前記複数の参照画像を表示する請求項１から１１のいずれか１項に記載の制御装置。
【請求項１３】
撮像装置を制御する制御装置であって、
複数の参照画像、および、前記複数の参照画像のそれぞれに対応付けて、前記複数の参照画像のそれぞれが撮像されたときの撮影条件を取得する画像取得部と、
前記複数の参照画像を分類する画像分類部と、
前記画像分類部の分類に基づいて前記複数の参照画像を表示する画像表示部と、
外部から前記複数の参照画像いずれかの選択を受け付けた場合に、前記選択された参照画像に対応付けられた前記撮影条件を前記撮像装置に出力する条件出力部と
を備える制御装置。
【請求項１４】
前記画像分類部は、外部から受け付けた分類に基づいて前記複数の参照画像を分類する請求項１２または１３に記載の制御装置。
【請求項１５】
前記画像分類部は、前記撮影条件を用いて前記複数の参照画像を分類する請求項１２から１４のいずれか１項に記載の制御装置。
【請求項１６】
前記複数の参照画像を分類する前記撮影条件は、前記参照画像を撮像するのに用いたレンズ、並びに、前記参照画像を撮像した日時および場所の少なくともいずれかを含む請求項１５に記載の制御装置。
【請求項１７】
前記画像表示部は、前記分類のうち現在の撮影条件に対応する撮影条件の分類を優先的に表示する請求項１５または１６に記載の制御装置。
【請求項１８】
前記条件出力部は、外部からの操作により前記撮影条件の変更を受け付けて、変更した撮影条件を出力する請求項１から１７のいずれか１項に記載の制御装置。
【請求項１９】
前記画像表示部は、前記外部から選択された前記参照画像が他の参照画像の撮影条件を用いて撮影されている場合に、前記参照画像および前記他の参照画像で共通する撮影条件を、仮に選択された状態で表示する請求項１８に記載の制御装置。
【請求項２０】
前記条件出力部は、前記外部から選択された前記参照画像において設定されていない撮影条件がある場合に、当該撮影条件を計算し、
前記画像表示部は、計算された撮影条件を表示する請求項１８または１９に記載の制御装置。
【請求項２１】
前記画像表示部は、前記外部から選択された前記参照画像の前記撮影条件と、前記撮影条件に競合する撮影条件とで異なった形態で表示する請求項１８から２０のいずれか１項に記載の制御装置。
【請求項２２】
前記画像表示部は、前記競合する撮影条件について代替案を列挙する請求項２１に記載の制御装置。
【請求項２３】
請求項１から２２のいずれかに記載の制御装置と、
前記撮像装置と
を備える撮像システム。
【請求項２４】
撮像装置を制御するプログラムであって、前記撮像装置に、
参照画像、および、前記参照画像に対応付けて、前記参照画像が撮像されたときの撮影条件を取得する画像取得手順、
前記参照画像を表示する画像表示手段、
外部から前記参照画像の選択を受け付けた場合に、前記参照画像に対応付けられた前記撮影条件を前記撮像装置に出力する条件出力手順、および、
前記条件出力手順において出力された前記撮影条件を用いて前記撮像装置が本画像を撮像した場合に、前記条件出力手順により出力された前記撮影条件に対応付けられている前記参照画像と前記本画像との参照関係を記憶する関係記憶手順
を実行させるプログラム。
【請求項２５】
撮像装置を制御するプログラムであって、前記撮像装置に、
複数の参照画像、および、前記複数の参照画像のそれぞれに対応付けて、前記複数の参照画像のそれぞれが撮像されたときの撮影条件を取得する画像取得手順、
前記複数の参照画像を分類する画像分類手段、
前記画像分類手段の分類に基づいて前記複数の参照画像を表示する画像表示手段、および、
外部から前記複数の参照画像いずれかの選択を受け付けた場合に、前記選択された参照画像に対応付けられた前記撮影条件を前記撮像装置に出力する条件出力手順
を実行させるプログラム。
【発明の詳細な説明】
【技術分野】
【０００１】
本発明は、制御装置、撮像システムおよびプログラムに関する。
【背景技術】
【０００２】
デジタルカメラにおいて、本撮影の前に予備撮影をし、当該予備撮影の撮影条件を変えた場合に撮像される本画像をシミュレーションするものがある（例えば、特許文献１参照）。
特許文献１  特開２００１−２１１３５９号公報
【発明の概要】
【発明が解決しようとする課題】
【０００３】
しかしながら、予備撮影をすることによって本撮影までに時間を要する。
【課題を解決するための手段】
【０００４】
本発明の第１の態様においては、撮像装置を制御する制御装置であって、参照画像、および、参照画像に対応付けて、参照画像が撮像されたときの撮影条件を取得する画像取得部と、参照画像を表示する画像表示部と、外部から参照画像の選択を受け付けた場合に、参照画像に対応付けられた撮影条件を撮像装置に出力する条件出力部と、条件出力部により出力された撮影条件を用いて撮像装置が本画像を撮像した場合に、本画像が条件出力部により出力された撮影条件に対応付けられている参照画像を参照したことを示す参照関係を記憶する関係記憶部とを備える。
【０００５】
本発明の第２の態様においては、撮像装置を制御する制御装置であって、複数の参照画像、および、複数の参照画像のそれぞれに対応付けて、複数の参照画像のそれぞれが撮像されたときの撮影条件を取得する画像取得部と、複数の参照画像を分類する画像分類部と、画像分類部の分類に基づいて複数の参照画像を表示する画像表示部と、外部から複数の参照画像いずれかの選択を受け付けた場合に、選択された参照画像に対応付けられた撮影条件を撮像装置に出力する条件出力部とを備える。
【０００６】
本発明の第３の態様においては、上記いずれかにの制御装置と、撮像装置とを備える撮像システムが提供される。
【０００７】
本発明の第４の態様においては、撮像装置を制御するプログラムであって、撮像装置に、参照画像、および、参照画像に対応付けて、参照画像が撮像されたときの撮影条件を取得する画像取得手順、参照画像を表示する画像表示手段、外部から参照画像の選択を受け付けた場合に、参照画像に対応付けられた撮影条件を撮像装置に出力する条件出力手順、および、条件出力手順において出力された撮影条件を用いて撮像装置が本画像を撮像した場合に、条件出力手順により出力された撮影条件に対応付けられている参照画像と本画像との参照関係を記憶する関係記憶手順を実行させる。
【０００８】
本発明の第４の態様においては、撮像装置を制御するプログラムであって、撮像装置に、複数の参照画像、および、複数の参照画像のそれぞれに対応付けて、複数の参照画像のそれぞれが撮像されたときの撮影条件を取得する画像取得手順、複数の参照画像を分類する画像分類手段、画像分類手段の分類に基づいて複数の参照画像を表示する画像表示手段、および、外部から複数の参照画像いずれかの選択を受け付けた場合に、選択された参照画像に対応付けられた撮影条件を撮像装置に出力する条件出力手順を実行させる。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】本実施形態の撮像装置１０の外観を示す。
【図２】撮像装置１０の機能ブロック図である。
【図３】制御部２３０の機能ブロックを模式的に示す。
【図４Ａ】撮像装置１０の動作を示すフローチャートである。
【図４Ｂ】撮像装置１０の動作を示すフローチャートである。
【図５】上記登録処理（Ｓ２８）の詳細を示すフローチャートである。
【図６】図５の登録処理において表示部１０２に表示される表示画面の一例を示す。
【図７】参照画像再生（Ｓ２２）の動作を示すフローチャートである。
【図８】参照画像再生における分類を選択する表示画面２４９の一例である。
【図９】選択された分類に含まれる参照画像が再生されている表示画面２５０の一例である。
【図１０】図４のロック処理（Ｓ３０）の動作を示すフローチャートである。
【図１１】当該ロック処理における表示画面２５３の一例である。
【図１２】比較再生（Ｓ２４）の動作を示すフローチャートである。
【図１３】比較再生の動作において表示部１０２に表示される表示画面２５４の一例を示す。
【図１４】画像表示部２４０が参照画像群を表示部１０２に表示する表示画面の一例である。
【図１５】ステップＳ２０８において、参照画像を他の分類方法で分類する動作を示すフローチャートである。
【図１６】図１５の動作で表示される表示画面の一例である。
【図１７】ステップＳ２０８において、参照画像をさらに他の分類方法で分類する動作を示すフローチャートである。
【図１８】図１７の動作で表示される表示画面の一例である。
【図１９】ステップＳ２０８において、参照画像をさらに他の分類方法で分類する動作を示すフローチャートである。
【図２０】図１９の動作で表示される表示画面の一例である。
【図２１】ステップＳ２０８において、参照画像をさらに他の分類方法で分類する動作を示すフローチャートである。
【図２２】図２１の動作で表示される表示画面の一例である。
【図２３】ステップＳ２０８において、参照画像をさらに他の分類方法で分類する動作を示すフローチャートである。
【図２４】図２３の動作で表示される表示画面の一例である。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、本実施形態の撮像装置１０の外観を示す。撮像装置１０は、装置本体２０および当該装置本体２０の前面に着脱可能なレンズユニット３０を備える。撮像装置１０の一例は一眼レフデジタルカメラである。撮像装置１０は、複数の参照画像を分類して表示し、それらのうちユーザにより選択された参照画像の撮影条件を用いて本画像を撮像する。また、撮像装置１０は、参照画像と本画像との参照関係を記憶する。
【００１３】
装置本体２０は、レンズユニット３０を通った像光を視認する光学ファインダ１００、および、背面に配されて画像を表示するＬＣＤ等の表示部１０２を有する。装置本体２０はさらに、ユーザからの撮影指示を受け付けるレリーズ１０４、撮影条件をロックするロックボタン１０８、モードを切り替えるダイアル１０６、画像の再生指示を受け付ける再生ボタン１１４、多方向の入力が可能な十字キー１１０および当該十字キー１１０の中央に配されたＯＫボタン１１２を有する。
【００１４】
図２は、撮像装置１０の機能ブロック図である。レンズユニット３０は、光学系３００、絞り３０２および当該レンズユニット３０の種類を特定する情報等を格納したメモリ３０４を有する。光学系３００は、複数の光学レンズ群から構成され、シーンからの被写体光束をその焦点面近傍に結像させる。なお、図２では光学系３００を説明の都合上、瞳近傍に配置された仮想的な１枚のレンズで代表して表している。
【００１５】
装置本体２０は、シャッタ２００、撮像素子２０２、Ａ／Ｄ変換部２０４、画像処理部２０６、駆動部２０８およびそれらを制御する制御部２３０を有する。装置本体２０はさらに、ＡＦセンサ２１０、測光センサ２１２、ＬＣＤ駆動回路２１４、メモリカードＩＦ２１８およびメインメモリ２２２を備える。装置本体２０には着脱可能にメモリカード２２０が保持されている。
【００１６】
撮像素子２０２は、レンズユニット３０の焦点面近傍に配置されている。撮像素子２０２は、二次元的に複数の光電変換素子が配列された、例えばＣＣＤ、ＣＭＯＳセンサ等のイメージセンサである。さらにシャッタ２００が撮像素子２０２の前面に配されている。撮像素子２０２は、シャッタ２００が制御部２３０により開かれたときに、駆動部２０８によりタイミング制御されて、受光面上に結像された被写体像を画像信号に変換してＡ／Ｄ変換部２０４へ出力する。
【００１７】
Ａ／Ｄ変換部２０４は、撮像素子２０２が出力する画像信号をデジタル信号に変換して画像処理部２０６へ出力する。画像処理部２０６は、メインメモリ２２２をワークスペースとして種々の画像処理を施し、撮影画像のデータを生成する。
【００１８】
画像処理部２０６は、他にも選択された画像フォーマットに従って画像データを調整するなどの画像処理一般の機能も担う。生成された撮影画像のデータは、ＬＣＤ駆動回路２１４により表示信号に変換され、表示部１０２に表示される。また、撮影画像のデータは制御部２３０によりメモリカードＩＦ２１８を介してメモリカード２２０に記録される。
【００１９】
ＡＦセンサ２１０は、被写体空間に対して複数の測距点が設定された位相差センサであり、それぞれの測距点において被写体像のデフォーカス量を検出する。また測光センサ２１２は、被写体像の輝度を測定する。一連の撮影シーケンスは、レリーズ１０４がユーザの操作を受け付けて、制御部２３０へ操作信号を出力することにより開始される。撮影シーケンスに付随するＡＦ，ＡＥ等の各種動作は、制御部２３０に制御されて実行される。例えば、制御部２３０は、ＡＦセンサ２１０の検出信号を解析して、光学系３００の一部を構成するフォーカスレンズを移動させる合焦制御を実行する。また、制御部２３０は、測光センサ２１２の検出信号を解析して、絞り３０２を制御する。
【００２０】
図３は、制御部２３０の機能ブロックを模式的に示す。制御部２３０は、画像取得部２３２と、画像分類部２３４と、画像表示部２４０とを備える。画像取得部２３２は、参照画像、および、参照画像に対応付けて、参照画像が撮像されたときの撮影条件をメモリカード２２０等から取得する。画像分類部２３４は、画像取得部２３２により取得された参照画像を分類する。画像表示部２４０は、画像分類部２３４の分類に基づいて参照画像を表示部１０２に表示する。
【００２１】
制御部２３０はさらに、条件出力部２６２と、関係記憶部２７０とを備える。条件出力部２６２は、十字キー１１０等により参照画像の選択を受け付けた場合に、参照画像に対応付けられた撮影条件を出力する。関係記憶部２７０は、条件出力部２６２により出力された撮影条件を用いて本画像を撮像した場合に、本画像が条件出力部２６２により出力された撮影条件に対応付けられている参照画像を参照したことを示す参照関係を記憶する。上記制御部２３０の各機能は、媒体２８０またはネットワーク等からインストールされたプログラムにより実行されてもよい。
【００２２】
図４Ａおよび図４Ｂは、撮像装置１０の動作を示すフローチャートである。図４Ａおよび図４Ｂのフローチャートは、画像を参照画像として登録する登録処理（Ｓ２８）と、登録された参照画像の撮影条件を引き継ぐべくロックするロック処理（Ｓ３０）を有する。なお、ロック処理によってロックされた撮影条件を用いた撮影を「ロック撮影」という場合がある。
【００２３】
まず、登録処理（Ｓ２８）に関する動作を説明する。図４Ａおよび図４Ｂのフローチャートは、ユーザが撮像装置１０の電源を投入したことによりスタートする。
【００２４】
撮像装置１０は、撮影条件を決める（Ｓ１０）。この場合に撮像装置１０は、通常の撮影動作と同様に、ダイアル１０６で設定されたシャッタ優先Ｔｖ、絞り優先Ａｖ等のモード、ＩＳＯの設定、被写界の輝度等に基づいて、露出を含む撮影条件を決める。
【００２５】
レリーズ１０４が押下された場合に（Ｓ１２：Ｙｅｓ）、制御部２３０は、当該撮影がロック撮影であるか否かを判断する（Ｓ１３）。以下、当該撮影がロック撮影でないとして説明する。
【００２６】
当該撮影がロック撮影でない場合、すなわち通常の撮影である場合に（Ｓ１３：Ｎｏ）、制御部２３０はステップＳ１０で設定した撮影条件で撮像素子２０２等を駆動して撮影画像を取得する（Ｓ１５）。さらに制御部２３０は、当該撮影画像および撮影条件を互いに対応付けてメモリカード２２０に記録する（同ステップ）。
【００２７】
この場合に撮影条件は撮影画像のファイルのヘッダ情報に記録される。記録される撮影条件の例は、絞り、シャッタスピード、ＩＳＯ、Ｂｖ値、露出補正値、ホワイトバランスモード、階調再現モード（ＡＤＬモード）、カラー設定、撮影時刻、装着されているレンズユニットの情報、ＧＰＳによる位置情報等を含む。
【００２８】
ステップＳ１５に続いて、または、ステップＳ１２の判断がＮｏである場合に、制御部２３０は、再生すべき画像があるか否かを判断する（Ｓ１６）。再生すべき画像がある場合に（Ｓ１６：Ｙｅｓ）、さらに制御部２３０はいずれの再生方法で画像を再生するかをユーザから受け付ける（Ｓ１８）。再生方法の例は「通常の再生」、「参照画像再生」および「比較再生」である。
【００２９】
ここで、上記各再生方法は例えば、以下の通りに選択される。上記ステップＳ１３でロック撮影でないと判断された場合であって再生ボタン１１４が単独で押下された場合には、「通常の再生」が選択されたものと判断する。ロックボタン１０８とともに再生ボタン１１４が押下された場合には、「参照画像再生」が選択されたものと判断する。上記ステップＳ１３でロック撮影であると判断された場合であって再生ボタン１１４が単独で押下された場合には、「比較再生」が選択されたものと判断する。以下、「通常の再生」が選択および決定されたものとして説明する。
【００３０】
ステップＳ１８において「通常の再生」が選択されると、制御部２３０は、ステップＳ１５でメモリカード２２０に記録した撮影画像を読み出して、表示部１０２に表示する（Ｓ２０）。次に制御部２３０はロックボタン１０８が押下されたか否かを判断し（Ｓ２６）、ロックボタン１０８が押下された場合には（Ｓ２６：Ｙｅｓ）、さらに押下時間が長押しであったか短押しであったかを判断する（Ｓ２７）。長押しであったか短押しであったかは予め定められた閾値、例えば１秒等により判断される。以下、ロックボタン１０８が長押しされたものとして説明する。
【００３１】
ステップＳ２７において長押しであった場合に、制御部２３０はステップＳ２０で再生されている撮影画像を参照画像として登録する（Ｓ２８）。ステップＳ２８については図５を用いてさらに後述する。
【００３２】
上記ステップ２８の後、ステップＳ１６の判断がＮｏである場合、または、ステップＳ１８の判断がＮｏである場合に、制御部２３０はロックが維持されているか否かを判断する（Ｓ３２）。
【００３３】
ロックが維持されているか否かは、例えば下記のいずれかにより判断する。電源がオフになった場合、レンズユニット３０が着脱された場合、他の操作に伴いロックした項目の値が保てなくなった場合、ロックボタンの再押下の場合、のいずれかの場合に、ロックが解除されたものと判断し、他の場合にロックが維持されていると判断してよい。なお、他の操作に伴いロックした項目の値が保てなくなった場合の例は、ズーミング動作に伴い開放Ｆ値が変化した場合が挙げられる。
【００３４】
ロックが維持されている場合には（Ｓ３２：Ｙｅｓ）、制御部２３０はロックを維持して撮影条件を決め（Ｓ３４）、ロックが維持されてない場合には（Ｓ３２：Ｎｏ）、ロックを解除してステップＳ１０と同様に露出等の撮影条件を決め（Ｓ３６）、制御が終了するまでステップＳ１２からの動作を繰り返す（Ｓ３８）。なおステップＳ３４の動作については後述する。
【００３５】
図５は、上記登録処理（Ｓ２８）の詳細を示すフローチャートであり、図６は、図５の登録処理において表示部１０２に表示される表示画面の一例を示す。
【００３６】
画像表示部２４０は、図６に示すユーザ登録画面を表示する（Ｓ２８０）。ユーザ登録画面の表示中に、画像分類部２３４は十字キー１１０の操作を受け付ける（Ｓ２８２）。
【００３７】
画像分類部２３４は十字キー１１０の操作に従って選択項目を変更するとともに、画像表示部２４０は選択項目の変更をユーザ登録画面に反映させる（Ｓ２８４）。図６に示す例において、「ユーザ選択画像１」が選択中であることが黒色の四角で示されており、他に選択肢として「ユーザ選択画像２」「ユーザ選択画像３」「ユーザ選択画像４」が存在することが白色の四角で示されている。なお、項目名はユーザにより任意の名称に設定できてもよい。例えば「ライブ撮影」「ポートレート」「成長記録」等の内容に即した名称が設定されることが好ましい。
【００３８】
画像分類部２３４は、ＯＫボタン１１２が押下されるまでステップＳ２８２に戻り（Ｓ２８６：Ｎｏ）、押下された場合に（Ｓ２８６：Ｙｅｓ）、選択中の項目に撮影画像を参照画像として登録する。これにより、画像分類部２３４は、外部から受け付けた分類に基づいて参照画像を分類する。以上により登録処理が終了する。
【００３９】
次に、図４Ｂのフローチャートにおける、ロック処理（Ｓ３０）に関する動作を説明する。まず、ロック処理に用いられる参照画像を再生する方法である「参照画像再生」（Ｓ２２）を説明する。
【００４０】
図７は、参照画像再生（Ｓ２２）の動作を示すフローチャートである。図８は、参照画像再生における分類を選択する表示画面２４９の一例であり、図９は、選択された分類に含まれる参照画像が再生されている表示画面２５０の一例である。なお、図４ＡのステップＳ１８で説明した通り、参照画像再生（Ｓ２２）はロックボタンが押下された状態で開始する。
【００４１】
画像分類部２３４は、図８に示すように参照用画像の分類区分を示す表示画面２４９を表示部１０２に表示する（Ｓ２００）。図８の例において、図６に示す例において「ユーザ選択画像１」が選択中であることが黒色の四角で示されており、他に選択肢として「ユーザ選択画像２」「ユーザ選択画像３」「ユーザ選択画像４」「装着レンズ」「時間帯」「同一地域」が存在することが白色の四角で示されている。なお、「同一地域」はＧＰＳ機能が使える場合に有効であり、使えない場合にはグレーアウト表示されることが好ましい。
【００４２】
この場合に、画像分類部２３４は、前回選択した分類を仮に選択した状態で表示してもよい。また、初めてこの表示画面２４９を表示する場合には「ユーザ選択画面１」が仮に選択された状態であってもよい。また、上記ステップＳ２８で参照画像が登録されていない「ユーザ選択画面」はグレイアウト表示されることが好ましく、いずれの「ユーザ選択画面」にも参照画像が登録されていない場合には「装着レンズ」が仮に選択された状態であることが好ましい。
【００４３】
画像分類部２３４は十字キー１１０の操作に応じて（Ｓ２０２）、参照画像の分類の選択を変更する（Ｓ２０４）。画像分類部２３４は、ロックボタンが解除されるまで（Ｓ２０６：Ｎｏ）、ステップＳ２０２からＳ２０６の動作を繰り返す。
【００４４】
ロックボタンが解除された場合に（Ｓ２０６：Ｙｅｓ）、画像分類部２３４はその時点で選択中の分類に基づいて参照画像を分類し（Ｓ２０８）、当該分類に従って参照画像のサムネイルを表示部１０２に表示する（Ｓ２１０）。例えば、「ユーザ選択画面１」が選択されている場合に、画像分類部２３４は当該「ユーザ選択画面１」に登録されている参照画像をメモリカード２２０から読み出して、そのサムネイルを表示部１０２に表示する。
【００４５】
図９は、「ユーザ選択画面１」が選択された場合の表示画面２５０の一例である。図９の例においては、画面下方に参照画像の分類として「ユーザ選択画面１」が選択されたことを示す分類表示２５２があり、その情報に当該分類に含まれる参照画像２４１、２４２、２４３、２４４、２４５のサムネイルが表示されている。
【００４６】
画像分類部２３４は、十字キー１１０の操作に応じて（Ｓ２１２）、参照画像の選択を変更する（Ｓ２１４）。この場合に、画像分類部２３４は図９に示すように、選択中の参照画像２４２に選択枠２５１を表示する。画像分類部２３４は、ＯＫボタンが押下されるまで（Ｓ２１６：Ｎｏ）、ステップＳ２１２からＳ２１６の動作を繰り返す。
【００４７】
ＯＫボタンが押下された場合に（Ｓ２１６：Ｙｅｓ）、画像分類部２３４はその時点で選択中の参照画像を最終的に選択された参照画像に決定する（Ｓ２１８）。以上によりステップＳ２２の動作が終了する。
【００４８】
図１０は、図４Ｂのロック処理（Ｓ３０）の動作を示すフローチャートであり、図１１は、当該ロック処理における表示画面２５３の一例である。当該ロック処理は、図４ＢのステップＳ２７においてロックボタンが短押しされて解除されたことによって開始する。
【００４９】
画像表示部２４０は、上記参照画像再生（Ｓ２２）で最終的に決定された参照画像のヘッダ情報を解析して、当該ヘッダ情報に含まれる撮影条件を表示する（Ｓ３００）。この場合に画像表示部２４０は、図１１に示すように、参照画像２４２に重畳して当該参照画像２４２の撮影条件２４７を表示する。
【００５０】
図１１の例において、ロックが可能な撮影条件の項目として、「絞り」、「シャッタスピード」、「ＩＳＯ」および「階調再現」（ＡＤＬ）が列挙されている。またそれぞれの項目の値として、参照画像２４２のヘッダ情報に含まれている、対応する撮影条件の値が読み出されて表示されている。
【００５１】
画面表示部２４０は、十字キー１１０の操作に応じて（Ｓ３０２）、選択されている項目を移動した表示を行う（Ｓ３０４）。この場合に画像表示部２４０は、図１１に示すように選択中の項目を点線の枠で囲う等、ユーザが視認可能な状態で表示する。ＯＫボタン１１２が押下されるまで（Ｓ３０６：Ｎｏ）、ステップＳ３０２およびＳ３０４の動作が繰り返される。
【００５２】
ＯＫボタン１１２が押下された場合に（Ｓ３０６：Ｙｅｓ）、画面表示部２４０は選択中の項目にチェックをつけて表示する（Ｓ３０８）。なおＯＫボタン１１２の押下に代えて、十字キー１１０の左右操作で代用してもよい。図１１の例において、ＯＫボタン１１２が押下された項目は黒い四角で示され、ＯＫボタン１１２が押下されていない項目は白い四角で示されている。ここで、図１１に示されるように、複数の項目を選択することができる。
【００５３】
次に、条件出力部２６２は現在チェックされている項目に対して排他的な関係になる項目を検索し、画面表示部２４０は当該項目を他の項目とは異なった形態、例えばグレーアウトで表示する（Ｓ３０９）。例えば、シャッタスピードが選択された場合であって、参照画像のシャッタスピードを用いると、現在の撮像装置１０の設定においてフラッシュの同調や手ブレ防止機能が発揮できない場合には、それらフラッシュの発光および手ブレ防止機能については選択を不可としてグレーアウト表示する。グレーアウト表示するのに代えて、設定可能な代替案が表示されてもよい。ロックボタン１０８が押下されるまで（Ｓ３１０：Ｎｏ）、ステップＳ３０２からＳ３１０の動作が繰り返される。
【００５４】
ロックボタンが押下された場合に（Ｓ３１０：Ｙｅｓ）、条件出力部２６２は、チェックされている選択項目が有るか否かを判断する（Ｓ３１２）。選択項目がない場合に（Ｓ３１２：Ｎｏ）、画像表示部２４０は「項目が選択されていません」という警告メッセージを表示部１０２に表示し（Ｓ３１６）、ステップＳ３０２に戻る。
【００５５】
ステップＳ３１２においてチェックされた選択項目が存在する場合に、条件出力部２６２はチェックされた選択項目をロックされた撮影条件として決定し（Ｓ３１４）、ロック処理（Ｓ３０）の動作を終了する。これにより、条件出力部２６２は、ロックされた撮影条件について参照画像の撮影条件を引き継いで、当該撮影条件を出力する。さらに、条件出力部２６２はユーザからの操作により撮影条件の変更を受け付けて、変更した撮影条件を出力する。
【００５６】
なお、画像表示部２４０は、参照画像が他の参照画像の撮影条件を用いて撮影されている場合に、当該参照画像と当該他の参照画像との間で共通な撮影条件の項目を、仮にチェックした状態で表示してもよい。例えば図１１の例において、参照画像２４２が他の参照画像の撮影条件のうち階調再現のモードをロックしてロック撮影したものである場合に、画像表示部２４０は、参照画像２４２の撮影条件２４７を表示する場合に階調再現を示す「ＡＤＬ」を予めチェックされた状態で表示する。仮の選択は例えばＯＫボタン１１２の押下により非選択状態になる。
【００５７】
上記ロック処理（Ｓ３０）に続いて、図４ＢのステップＳ３２の判断が実行される。ここでさらにロック撮影を説明すべく、ステップＳ３２においてロックが維持されたものとして説明を続ける（Ｓ３２：Ｙｅｓ）。
【００５８】
ロックが維持されている場合に（Ｓ３２：Ｙｅｓ）、条件出力部２６２はロックされている撮影条件を変更せずに、ロックされていない撮影条件を決めて（Ｓ３４）、当該撮影条件を制御部２３０に出力する。この場合に画像表示部２４０は当該撮影条件を改めて表示部１０２に表示してもよい。
【００５９】
その後ステップＳ３８経てステップＳ１２で撮影指示があった場合は（Ｓ１２：Ｙｅｓ）、制御部２３０は条件出力部２６２により出力された撮影条件で被写体を撮像する。この場合に当該撮影は、ロック撮影なので（Ｓ１３：Ｙｅｓ）、ステップＳ１４に進む。
【００６０】
ステップＳ１４において、制御部２３０は、当該撮影画像およびその撮影条件に加えて、当該撮影画像と参照画像との関係を記録する（Ｓ１４）。この場合に、関係記憶部２７０は、上記参照関係として、参照画像のファイル名等の参照画像を特定する情報、および、本画像のファイル名等の本画像を特定する情報、を参照管理ファイルに記録する。当該参照管理ファイルは、参照画像および本画像とは別個のファイルであって、メインメモリ２２２に格納される。関係記憶部２７０は上記参照関係としてさらに参照画像のサムネイル画像を参照管理ファイルに記録してもよい。
【００６１】
さらにロック撮影の場合であって再生ボタン１１４が単独で押下された場合は、図４ＡのステップＳ１８において比較再生（Ｓ２４）へ進む。そこで比較再生（Ｓ２４）の動作について説明する。
【００６２】
図１２は、比較再生（Ｓ２４）の動作を示すフローチャートである。図１３は、比較再生の動作において表示部１０２に表示される表示画面２５４の一例を示す。
【００６３】
画像表示部２４０は、上記ステップＳ１２で撮像された撮影画像を本画像として、本画像と参照関係にある参照画像を一画面に同時に表示する（Ｓ４００）。画像表示部２４０はさらに、条件出力部２６２により出力された撮影条件も一画面に表示してもよい。この場合に、画像表示部２４０は本画像のヘッダ情報を解析して撮影条件を読み出すとともに、参照管理ファイルを参照して参照画像を特定して表示する。
【００６４】
図１３に示す例において、表示画面２５４の上方には本画像２５６、および、本画像２５６の参照元である参照画像２４２が横に並んで表示されている。さらに、本画像２５６および参照画像２４２のそれぞれの下方にそれぞれの撮影条件２４８が表示されている。撮影条件のうち参照画像２４２の撮影条件をロックして用いた条件については黒色の四角で示されており、ロックしていない条件について白色の四角で示されている。
【００６５】
画面表示部２４０はさらに十字キー１１０の操作を受け付ける（Ｓ４０２）。十字キー１１０が上下方向に操作された場合に（Ｓ４０２：Ｙｅｓ、Ｓ４０４：上下）、画面表示部２４０は、撮影条件２４８の表示とヒストグラムの表示とを切り替える（Ｓ４０６）。
【００６６】
十字キー１１０が左右に操作された場合に（Ｓ４０２：Ｙｅｓ、Ｓ４０４：左右）、画面表示部２４０は、参照画像がさらに他の参照画像を参照したロック撮影であるときに当該他の参照画像を表示する（Ｓ４０８）。画像表示部２４０は当該他の参照画像とともにその撮影条件も表示してもよい。
【００６７】
この場合に画像表示部２４０は、参照管理ファイルを参照して、参照関係として参照元の参照画像を特定する情報が存在する場合に、当該参照元の参照画像をメモリカード２２０等から読み出して表示する。ステップＳ４０８において参照画像がいずれの参照画像も参照していない、すなわちロック撮影でない場合には参照画像なしを示す表示を行う。
【００６８】
画面表示部２４０は、再生終了の入力があるまで（Ｓ４１０：Ｎｏ）、ステップＳ４０２からＳ４１０の動作を繰り返す。再生終了の入力の例として、再生ボタン１１４の再押下、レリーズ１０４の押下、ダイアル１０６の回転等が挙げられる。再生終了の入力が有った場合に（Ｓ４１０：Ｙｅｓ）、比較再生（Ｓ２４）の動作が終了する。本画像を参照画像と並べて表示することにより、撮影後に撮影条件の違いによる効果を確認することができる。
【００６９】
以上、図１から図１３に示す実施形態によれば、参照画像の撮影条件を用いて本画像を簡便に撮影することができる。さらに、参照画像が分類されて表示されるので、ユーザが参照画像を容易に選択することができる。また、参照画像と本画像との参照関係が記憶されるので、ユーザが確認したいときに容易に参照関係を確認することができる。また、参照画像と同じロック項目が予め仮に選択された状態で表示されるので、撮影意図が同一の場合、例えば被写体のボケ具合や画面全体の明るさのイメージを同じにしたい場合に、参考画像で絞り値等を引き継ぎつつ他の撮影条件を被写界輝度に合わせた自動露出計算をすることで、素早く撮影することができる。また、任意のロック項目を選択することができるので、参照画像に比べて照明条件等が極端に変わってしまっている場合にＩＳＯの設定を解除する等、意図的に撮影条件を変更することができる。
【００７０】
図１４は、画像表示部２４０が参照画像群を表示部１０２に表示する表示画面２５５の一例である。画像表示部２４０は、図７のステップＳ２１８において参照画像が決定された場合に、参照管理ファイルを参照して、当該参照画像と参照関係にある他の画像を参照関係とともに表示してもよい。
【００７１】
図１４の例において、ステップＳ２１８で決定された参照画像２４２が選択枠２５１とともに示されている。さらに、当該参照画像の参照元である参照画像２４１、当該参照画像を参照している他の参照画像２４５、当該参照画像２４５を参照した参照画像２４３、２４４が、参照関係を示す矢印とともに示されている。十字キー１１０およびＯＫボタン１１２の操作によりこれらのいずれを最終的な参照画像として選択するかを受け付ける。
【００７２】
これにより、ユーザによる参照画像の選択の幅を広げることができる。この場合に、関係記憶部２７０は、参照管理ファイルに予め参照関係として、一の画像に直接的または間接的に参照関係を有する他の参照画像の参照関係を含む参照関係群を記憶しておいてもよい。
【００７３】
図１５は、ステップＳ２０８において、参照画像を他の分類方法で分類する動作を示すフローチャートであり、図１６は当該動作で表示される表示画面の一例である。図１５において、参照画像は撮影条件の一例として、撮影時に装着されていたレンズユニット３０の種類で分類される。
【００７４】
画像分類部２３４は、メモリカード２２０に保存されている撮影画像に用いられたレンズユニット３０を特定して表示する（Ｓ５００）。この場合に画像分類部２３４は、撮影画像のヘッダ情報を解析して、当該撮影画像の撮影に用いられたレンズユニット３０の情報を取得する。さらに画像分類部２３４はレンズユニット３０の種類毎に当該撮影画像を分類する（同ステップ）。なお、レンズユニット３０にメモリ３０４がない等の理由により撮影時のレンズ情報が不明である場合には、「レンズ情報なし」とする。
【００７５】
画像表示部２４０は、取得したレンズユニット３０の情報を、例えばワイド側の焦点距離が小さい順、または、開放Ｆ値の小さい順に並べて表示する。図１６の例において、レンズユニット３０はワイド側の焦点距離が小さい順に表示されている。
【００７６】
画像表示部２４０は、現在装着されているレンズユニット３０の情報をメモリ３０４から取得し、ステップＳ５００で特定したレンズユニット３０のいずれかと一致するかどうかを判断する（Ｓ５０２）。一致する場合に（Ｓ５０２：Ｙｅｓ）、画像表示部２４０は、装着されているレンズユニット３０と同じレンズユニットの項目を仮の選択状態で表示する（Ｓ５０４）。画像表示部２４０は、他の方法で当該レンズユニットの項目を優先的に表示してもよい。例えば、焦点距離に関わらず最上位に表示してもよい。
【００７７】
図１６の例において、一致するレンズユニットが仮の選択状態を示す黒色の四角で表示されている。さらに、ステップＳ５００で取得した他のレンズユニットの情報が選択可能である旨を示す白色の四角で表示されている。
【００７８】
上記ステップS５０２において判断がＮｏである場合に、画像表示部２４０は、いずれのレンズユニットも仮の選択状態とせずに表示する（S５０６）。画像表示部２４０は、現在の撮影条件に対応する撮影条件の分類を優先的に表示するので、ユーザが参照画像を選択しやすくすることができる。
【００７９】
さらに画像分類部２３４は十字キー１１０の操作を受け付け（S５０８）、キー操作に従って項目を移動する（S５１０）。ＯＫボタン１１２が押下されるまで（Ｓ５１２：Ｎｏ）、ステップＳ５０８からＳ５１２の動作が繰り返される。
【００８０】
ＯＫボタン１１２が押下された場合に（Ｓ５１２：Ｙｅｓ）、画像分類部２３４は、チェックされている選択項目が有るか否かを判断する（Ｓ５１４）。選択項目がない場合に（Ｓ５１４：Ｎｏ）、画像表示部２４０は「項目が選択されていません」という警告メッセージを表示部１０２に表示し（Ｓ５１４）、ステップＳ５０８に戻る。
【００８１】
ステップＳ５１４においてチェックされた選択項目が存在する場合に、条件出力部２６２はチェックされた選択項目を、再生すべき参照画像の分類として決定し（Ｓ３１４）、分類処理（Ｓ２０８）の動作を終了する。上記分類方法においては、レンズユニット毎に参照画像が分類されるので、ユーザが参照画像を容易に探すことができる。
【００８２】
図１７は、ステップＳ２０８において、参照画像をさらに他の分類方法で分類する動作を示すフローチャートであり、図１８は当該動作で表示される表示画面の一例である。図１７において図１５と同一の動作については同一の参照番号を付して、説明を省略する。
【００８３】
画像分類部２３４は、メモリカード２２０に保存されている撮影画像の撮影時間帯を特定して表示する（Ｓ５２０）。この場合に画像分類部２３４は、撮影画像のヘッダ情報を解析して、当該撮影画像の撮影時間帯の情報を取得する。さらに画像分類部２３４は撮影時間帯毎、例えば１時間毎に当該撮影画像を分類する（同ステップ）。画像表示部２４０は、取得した撮影時間帯の情報を、例えば図１８に示すように時間の早い順に並べて表示する。
【００８４】
画像表示部２４０は、現在時刻を装置本体２０のタイマから取得し、ステップＳ５２０で特定した撮影時間帯のいずれかと一致するかどうかを判断する（Ｓ５２２）。一致する場合に（Ｓ５２２：Ｙｅｓ）、画像表示部２４０は、現在時刻が含まれる撮影時間帯の項目を仮の選択状態で表示する（Ｓ５２４）。上記ステップS５２２において判断がＮｏである場合に、画像表示部２４０は、いずれの撮影時間帯も仮の選択状態とせずに表示する（Ｓ５２６）。上記分類方法においては、撮影時間帯毎に参照画像が分類されるので、ユーザが参照画像を容易に探すことができる。
【００８５】
図１９は、ステップＳ２０８において、参照画像をさらに他の分類方法で分類する動作を示すフローチャートであり、図２０は当該動作で表示される表示画面の一例である。図１９において図１５と同一の動作については同一の参照番号を付して、説明を省略する。
【００８６】
画像分類部２３４は、メモリカード２２０に保存されている撮影画像の撮影位置を特定して表示する（Ｓ５３０）。この場合に画像分類部２３４は、撮影画像のヘッダ情報を解析して、当該撮影画像の撮影位置の情報を取得する。さらに画像表示部２４０は、現在位置を装置本体２０のＧＰＳシステムから取得し、撮影位置毎、例えば現在位置から１ｋｍ以内、２ｋｍ以内、５ｋｍ以内等に当該撮影画像を分類する（同ステップ）。なお、位置が不明な画像については、「位置情報不明」に分類される。画像表示部２４０は、取得した撮影位置の情報を、例えば図２０に示すように近い順に並べて表示する。
【００８７】
さらに、画像表示部２４０は、現在位置から一番近い画像が含まれる項目を仮の選択状態で表示する（Ｓ５３２）。なお「位置情報不明」の画像しかない場合には当該項目が仮の選択状態で表示される。上記分類方法においては、撮影位置毎に参照画像が分類されるので、ユーザが参照画像を容易に探すことができる。
【００８８】
図２１は、ステップＳ２０８において、参照画像をさらに他の分類方法で分類する動作を示すフローチャートであり、図２２は当該動作で表示される表示画面の一例である。図２１において図１５と同一の動作については同一の参照番号を付して、説明を省略する。
【００８９】
画像分類部２３４は、メモリカード２２０に保存されている撮影画像の参照頻度を特定して表示する（Ｓ５４０）。この場合に画像分類部２３４は、参照管理ファイルにおいて参照画像が参照されている本画像の個数を数えることにより参照頻度を特定する。さらに画像表示部２４０は、参照頻度が１０回以上は１０刻み、１０回未満は１刻みで当該撮影画像を（同ステップ）。画像表示部２４０は、取得した参照頻度の情報を、例えば図２２に示すように多い順に並べて表示する。
【００９０】
さらに、画像表示部２４０は、参照頻度が一番多い画像が含まれる項目を仮の選択状態で表示する（Ｓ５４２）。上記分類方法においては、参照頻度毎に参照画像が分類されるので、ユーザが参照画像を容易に探すことができる。
【００９１】
図２３は、ステップＳ２０８において、参照画像をさらに他の分類方法で分類する動作を示すフローチャートであり、図２４は当該動作で表示される表示画面の一例である。図２３において図１５と同一の動作については同一の参照番号を付して、説明を省略する。
【００９２】
画像分類部２３４は、メモリカード２２０に保存されている撮影画像の撮影曜日を特定して表示する（Ｓ５５０）。この場合に画像分類部２３４は、撮影画像のヘッダ情報を解析して、当該撮影画像の撮影曜日の情報を取得する。さらに画像分類部２３４は撮影曜日毎に当該撮影画像を分類する（同ステップ）。
【００９３】
画像表示部２４０は、今日の曜日を装置本体２０のタイマから取得し、ステップＳ５５０で特定した撮影曜日のいずれかと一致するかどうかを判断する（Ｓ５５２）。一致する場合に（Ｓ５５２：Ｙｅｓ）、画像表示部２４０は、今日の曜日の項目を仮の選択状態で表示する（Ｓ５５４）。上記ステップS５５２において判断がＮｏである場合に、画像表示部２４０は、いずれの曜日も仮の選択状態とせずに表示する（S５５６）。
【００９４】
上記分類方法は、曜日により分類するので、１週間の撮影スタイルが決まっている場合や、あるテーマに沿って撮影をすることで主な撮影曜日が決まっている場合に、ユーザが参照画像を容易に探すことができる。
【００９５】
上記図１５から図２４以外にも、分類方法には様々な観点がある。そこで、ステップＳ２００において表示される分類の項目を事前に設定できてもよい。
【００９６】
ロックできる撮影条件として、レンズのズーム位置、撮影距離等を含んでもよい。この場合に、ステップＳ１４、１５の撮影条件に撮影時の焦点距離および被写体距離の情報も記録する。さらに、ステップＳ３０のロック処理において撮影条件として焦点距離および被写体距離を加える。なお撮像装置１０がこれらの情報を取得できない場合には、参照画像を不明に分類するとともに、当該参照画像が選ばれた場合にはこれらの項目はロック項目としては表示しない。これらの項目がロック項目として選択された場合に、撮像装置１０は自動で距離を設定する。撮像装置１０はピントを固定しつつ測距処理は継続し、ピントが合った状態でレリーズ１０４を許可する。ただし、測距が可能にもかかわらずＡＦ機構を内蔵しないレンズユニット３０の場合には、測距処理を行い、現在の距離とロックした距離とが一致した状態でレリーズ１０４を許可する。また、レンズユニット３０がズームリングにてズームする場合に、ユーザによるズームリングの操作により、現在のズーム位置がロックしたズーム位置と一致したときに、レリーズ１０４を許可する。なお、レンズユニット３０が装置本体２０側の操作でズームする場合には、ロックしたズーム位置までレンズユニット３０を駆動してもよい。
【００９７】
上記実施形態において、参照管理ファイルはメインメモリ２２２に格納されるが、さらにメモリカード２２０に転送されて格納されてもよい。また、参照管理ファイルとして参照関係を記憶するのに代えて、他の方法で参照関係および参照関係群を記憶してもよい。例えば、関係記憶部２７０は、上記参照関係として、参照画像のファイル名等、参照画像を特定する情報を撮影画像のヘッダ情報に記録する。関係記憶部２７０はさらに参照画像のサムネイル画像をヘッダ情報に記録してもよい。
【００９８】
また、上記実施形態において参照画像は、当該撮像装置１０で撮像されたもので説明したが、参照画像はこれに限られない。他の撮像装置１０で撮像された画像が読み込まれて参照画像として登録されてもよい。また、参照画像が撮影条件で分類される場合にユーザによる分類項目の選択の後に分類されているが、ユーザの選択に先立って分類がされていてもよい。
【００９９】
また、撮像装置の例として一眼レフデジタルカメラを挙げたが、これに限られず、コンパクトデジタルカメラ、動画撮影のビデオカメラ等であってもよい。静止画と動画の両方を撮像できる撮像装置の場合に、静止画を参照画像として絞り値等を引き継いで動画を撮像したり、動画の特定のフレーム等を参照画像として静止画を撮像してもよい。
【０１００】
さらに、撮像装置の例として、紙媒体等から画像を読み取るスキャナが挙げられる。当該スキャナについても、参照画像の読み取り条件を引き継いで本画像を読み取ることにより、簡便に適切な条件で本画像を読み取ることができる。さらに音楽や音声における各種の設定条件を音データとともに記録することで、本実施形態を適用してもよい。
【０１０１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０３】
１０  撮像装置
２０  装置本体
３０  レンズユニット
１００  光学ファインダ
１０２  表示部
１０４  レリーズ
１０６  ダイアル
１０８  ロックボタン
１１０  十字キー
１１２  ＯＫボタン
２００  シャッタ
２０２  撮像素子
２０４  Ａ／Ｄ変換部
２０６  画像処理部
２０８  駆動部
２１０  ＡＦセンサ
２１２  測光センサ
２１４  ＬＣＤ駆動回路
２１８  メモリカードＩＦ
２２０  メモリカード
２２２  メインメモリ
２３０  制御部
２３２  画像取得部
２３４  画像分類部
２４０  画像表示部
２４１、２４２、２４３、２４４、２４５  参照画像
２４７、２４８  撮影条件
２４９、２５０、２５４、２５５  表示画面
２５１  選択枠
２５２  分類表示
２５６  本画像
２６２  条件出力部
２７０  関係記憶部
２８０  媒体
３００  光学系
３０２  絞り
３０４  メモリ
【図１】
2012235393.tif 000003
【図２】
2012235393.tif 000004
【図３】
2012235393.tif 000005
【図４Ａ】
2012235393.tif 000006
【図４Ｂ】
2012235393.tif 000007
【図５】
2012235393.tif 000008
【図６】
2012235393.tif 000009
【図７】
2012235393.tif 000010
【図８】
2012235393.tif 000011
【図９】
2012235393.tif 000012
【図１０】
2012235393.tif 000013
【図１１】
2012235393.tif 000014
【図１２】
2012235393.tif 000015
【図１３】
2012235393.tif 000016
【図１４】
2012235393.tif 000017
【図１５】
2012235393.tif 000018
【図１６】
2012235393.tif 000019
【図１７】
2012235393.tif 000020
【図１８】
2012235393.tif 000021
【図１９】
2012235393.tif 000022
【図２０】
2012235393.tif 000023
【図２１】
2012235393.tif 000024
【図２２】
2012235393.tif 000025
【図２３】
2012235393.tif 000026
【図２４】
2012235393.tif 000027